(57)【要約】【課題】より高い完成度になることを実現する。【解決手段】まつ毛エクステンションの施術方法は、１本のまつ毛１０に２本の人工毛１１，１２を接着剤で順々に接着することで、まつ毛１０に人工毛１１，１２を装着する方法であって、まつ毛の長さ方向について、先に接着した人工毛１１とは基端の位置が異なるように後に接着する人工毛１２を配置して、後に接着する人工毛１２を、まつ毛１０に接着すると共に先に接着した人工毛１１に接着する。【選択図】図１
2020020073.tif 000002
【特許請求の範囲】
【請求項１】
１本のまつ毛に２本以上の人工毛を接着剤で順々に接着することで、前記まつ毛に前記人工毛を装着するまつ毛エクステンションの施術方法であって、
前記まつ毛の長さ方向について、先に接着した前記人工毛とは基端の位置が異なるように後に接着する前記人工毛を配置して、後に接着する前記人工毛を、前記まつ毛に接着すると共に先に接着した前記人工毛に接着することを特徴とする
まつ毛エクステンションの施術方法。
【請求項２】
後に接着する前記人工毛は、その基端の位置が、先に接着した前記人工毛と比較して前記まつ毛の先端寄りであることを特徴とする
請求項１に記載のまつ毛エクステンションの施術方法。
【請求項３】
後に接着する前記人工毛は、その長さが、先に接着した前記人工毛と比較して短いことを特徴とする
請求項２に記載のまつ毛エクステンションの施術方法。
【請求項４】
後に接着する前記人工毛は、その最も太い部分の太さが、先に接着した前記人工毛と比較して細いことを特徴とする
請求項２又は３に記載のまつ毛エクステンションの施術方法。
【請求項５】
後に接着する前記人工毛は、そのカールの曲率が、先に接着した前記人工毛と比較して小さいことを特徴とする
請求項２〜４のいずれかに記載のまつ毛エクステンションの施術方法。
【請求項６】
前記接着剤として、１本目に接着する前記人工毛に対して第１の接着剤を使用すると共に、２本目又はそれ以降に接着する前記人工毛に対して、前記第１の接着剤と比較して接着力が小さい第２の接着剤を使用することを特徴とする
請求項１〜５のいずれかに記載のまつ毛エクステンションの施術方法。
【請求項７】
前記第１の接着剤は、エチルシアノアクリレートを主成分とし、
前記第２の接着剤は、ブチルシアノアクリレートを主成分とすることを特徴とする
請求項６に記載のまつ毛エクステンションの施術方法。
【発明の詳細な説明】
【技術分野】
【０００１】
本発明は、まつ毛エクステンションの施術方法に関する。
【背景技術】
【０００２】
まつ毛にボリュームを持たせて目元の印象を変える人工的な手法として、マスカラ、つけまつ毛、まつ毛エクステンション等が知られている。マスカラやつけまつ毛は、毎日の化粧の一環として自宅で気軽に簡単に自分で楽しめるものである。一方、まつ毛エクステンションは、専門店であるサロンにおいて、美容師の免許を取得している施術者によって、まつ毛の１本１本に対して丁寧に人工のまつ毛（人工毛）が装着されるものである（例えば、特許文献１参照）。
【先行技術文献】
【特許文献】
【０００３】
【特許文献１】特許第５９５５３５５号公報
【発明の概要】
【発明が解決しようとする課題】
【０００４】
まつ毛エクステンションは、自宅で気軽に簡単に施術できるものではないので、また、一度施術を受けると１か月程度装着したままになるので、デザイン性に優れ長持ちする等、より高い完成度になることが求められる。
【０００５】
本発明は、上記課題を鑑みてなされたものであり、より高い完成度になることを実現するまつ毛エクステンションの施術方法を提供することを目的とする。
【課題を解決するための手段】
【０００６】
（１）本発明は、１本のまつ毛に２本以上の人工毛を接着剤で順々に接着することで、前記まつ毛に前記人工毛を装着するまつ毛エクステンションの施術方法であって、前記まつ毛の長さ方向について、先に接着した前記人工毛とは基端の位置が異なるように後に接着する前記人工毛を配置して、後に接着する前記人工毛を、前記まつ毛に接着すると共に先に接着した前記人工毛に接着することを特徴とするまつ毛エクステンションの施術方法である。
【０００７】
本発明によれば、人工毛がまつ毛に接着するだけでなく人工毛同士が互いに接着することになる。接着剤による接着力は、人工毛をまつ毛に接着させた場合と比較して、人工毛同士を互いに接着させた場合の方が遥かに強いため、１本の人工毛がまつ毛から外れてしまった場合であってもその１本の人工毛は残りの人工毛に接着しており、残りの人工毛がまつ毛から外れるまでは、人工毛がまつ毛から完全に取れてしまうことはなく、長持ちする。
【０００８】
そして、本発明によれば、人工毛同士がまつ毛への接着力を補完し合って人工毛のまつ毛への接着力を強めることができる。このため、クセがあったり斜めに生えていたり短かったりする問題のあるまつ毛に人工毛を装着する場合であっても、問題のないまつ毛と同じように人工毛を装着することができる。ひいては、不揃いに生えているまつ毛同士の隙間を整えたり、全体としての仕上がりのデザインを整えたりすることができる。すなわち、全体としてデザインやバランスが整った状態に仕上げることができる。
【０００９】
また、本発明によれば、上述のように接着力が強まるので、接着剤の使用量を減らすことができる。ひいては、接着剤から放出されるホルムアルデヒド等の揮発性有害物質の量を軽減することができ、まつ毛やその毛根等の人体への負担や影響を小さくすることができる。
【００１０】
（２）本発明はまた、後に接着する前記人工毛は、その基端の位置が、先に接着した前記人工毛と比較して前記まつ毛の先端寄りであることを特徴とする上記（１）に記載のまつ毛エクステンションの施術方法である。
【００１１】
上記発明によれば、まつ毛の根元から先端に向けて順々に人工毛を接着することになるので、施術者は奥から手前に向けて順々に人工毛を接着すればよい。このため、先に接着した人工毛が、他の人工毛を接着することの妨げにはならず、比較的容易に施術を実施することができる。
【００１２】
（３）本発明はまた、後に接着する前記人工毛は、その長さが、先に接着した前記人工毛と比較して短いことを特徴とする上記（２）に記載のまつ毛エクステンションの施術方法である。
【００１３】
上記発明によれば、まつ毛の根元から先に接着した人工毛の先端までの距離を、まつ毛の根元から後に接着した人工毛の先端までの距離と比較して、同等又は大きくすることができる。この場合、まつ毛の根元に最も近い部分に接着した人工毛を基準としたデザインに仕上がるので、まつ毛の根元から先に装着した人工毛の先端までの距離が、まつ毛の根元から後に接着した人工毛の先端までの距離よりも小さい場合と比較して、デザインやバランスが整った状態になる。
【００１４】
（４）本発明はまた、後に接着する前記人工毛は、その最も太い部分の太さが、先に接着した前記人工毛と比較して細いことを特徴とする上記（２）又は（３）に記載のまつ毛エクステンションの施術方法である。
【００１５】
上記発明によれば、まつ毛の根元に最も近い部分に接着した人工毛を基準としたデザインに仕上がるので、先に接着した人工毛の最も太い部分の太さが、後に接着した人工毛の最も太い部分の太さよりも細い場合と比較して、デザインやバランスが整った状態になる。
【００１６】
（５）本発明はまた、後に接着する前記人工毛は、そのカールの曲率が、先に接着した前記人工毛と比較して小さいことを特徴とする上記（２）〜（４）のいずれかに記載のまつ毛エクステンションの施術方法である。
【００１７】
上記発明によれば、まつ毛の根元に最も近い部分に接着した人工毛を基準としたデザインに仕上がるので、先に接着した人工毛のカールの曲率が、後に接着した人工毛のカールの曲率よりも小さい場合と比較して、デザインやバランスが整った状態になる。
【００１８】
（６）本発明はまた、前記接着剤として、１本目に接着する前記人工毛に対して第１の接着剤を使用すると共に、２本目又はそれ以降に接着する前記人工毛に対して、前記第１の接着剤と比較して接着力が小さい第２の接着剤を使用することを特徴とする上記（１）〜（５）のいずれかに記載のまつ毛エクステンションの施術方法である。
【００１９】
接着剤による接着力と、接着剤から放出される揮発性有害物質の量とは、相関関係にある。接着力が強ければ揮発性有害物質の量は多く、接着力が弱ければ揮発性有害物質の量は少ない。上記発明によれば、接着力が互いに異なる第１の接着剤と第２の接着剤とを使用するので、接着剤による接着力を保ちつつ、接着剤から放出される揮発性有害物質の量を軽減することができる。
【００２０】
（７）本発明はまた、前記第１の接着剤はエチルシアノアクリレートを主成分とし、前記第２の接着剤は、ブチルシアノアクリレートを主成分とすることを特徴とする上記（６）に記載のまつ毛エクステンションの施術方法である。
【００２１】
上記発明によれば、接着力が比較的強いエチルシアノアクリレートを主成分とする第１の接着剤を使用しつつ、あわせて、放出される揮発性有害物質の量が比較的少ないブチルシアノアクリレートを主成分とする第２の接着剤を使用するので、接着剤の全てに第１の接着剤を使用する場合と比較して放出される揮発性有害物質の量を軽減することができ、また、接着剤の全てに第２の接着剤を使用する場合と比較して接着力を強くすることができる。
【発明の効果】
【００２２】
本発明の上記（１）〜（７）に記載のまつ毛エクステンションの施術方法によれば、より高い完成度になることを実現することができる。
【図面の簡単な説明】
【００２３】
【図１】本発明の第１実施形態に係るまつ毛エクステンションの施術方法を説明する模式図であり、（Ａ）は人工毛を接着する前のまつ毛を示し、（Ｂ）は１本目の人工毛を接着した後のまつ毛を示し、（Ｃ）は２本目の人工毛を接着した後のまつ毛を示す。
【図２】まつ毛に人工毛を装着した後の状態を示す模式図である。
【図３】複数本のまつ毛に人工毛を装着した後の状態を上方から視た模式図である。
【図４】目の上の上まつ毛である複数本のまつ毛に人工毛を装着した後の状態を側方から視た模式図である。
【図５】本発明の第２実施形態に係るまつ毛エクステンションの施術方法を説明する模式図であり、（Ａ）は人工毛を接着する前のまつ毛を示し、（Ｂ）は１本目の人工毛を接着した後のまつ毛を示し、（Ｃ）は２本目の人工毛を接着した後のまつ毛を示す。
【図６】本発明の第３実施形態に係るまつ毛エクステンションの施術方法を説明する模式図であり、（Ａ）は人工毛を接着する前のまつ毛を示し、（Ｂ）は１本目の人工毛を接着した後のまつ毛を示し、（Ｃ）は２本目の人工毛を接着した後のまつ毛を示す。
【図７】本発明の第４実施形態に係るまつ毛エクステンションの施術方法を説明する模式図であり、（Ａ）は人工毛を接着する前のまつ毛を示し、（Ｂ）は１本目の人工毛を接着した後のまつ毛を示し、（Ｃ）は２本目の人工毛を接着した後のまつ毛を示す。
【図８】本発明の第５実施形態に係るまつ毛エクステンションの施術方法を説明する模式図であり、（Ａ）は人工毛を接着する前のまつ毛を示し、（Ｂ）は１本目の人工毛を接着した後のまつ毛を示し、（Ｃ）は２本目の人工毛を接着した後のまつ毛を示す。
【発明を実施するための形態】
【００２４】
以下、図面を参照して、本発明の実施形態に係るまつ毛エクステンションの施術方法について詳細に説明する。なお、第２実施形態以降の実施形態の説明において、第１実施形態と共通する構成、作用及び効果については、適宜その説明を省略する。
【００２５】
［第１実施形態］まず、図１〜図４を用いて、本発明の第１実施形態に係るまつ毛エクステンションの施術方法について説明する。図１は、本発明の第１実施形態に係るまつ毛エクステンションの施術方法を説明する模式図である。図１（Ａ）は、人工毛１１，１２を接着する前のまつ毛１０を示す。図１（Ｂ）は、１本目の人工毛１１を接着した後のまつ毛１０を示す。図１（Ｃ）は、２本目の人工毛１２を接着した後のまつ毛１０を示す。図２は、まつ毛１０に人工毛１１，１２を装着した後の状態を示す模式図である。図３は、複数本のまつ毛１０に人工毛１１，１２を装着した後の状態を上方から視た模式図である。図４は、目の上の上まつ毛である複数本のまつ毛１０に人工毛１１，１２を装着した後の状態を側方から視た模式図である。
【００２６】
図１に示すように、まつ毛エクステンションの施術方法は、１本のまつ毛１０に２本以上（本実施形態では、２本）の人工毛１１，１２を接着剤（図示省略）で順々に接着することで、まつ毛１０に人工毛１１，１２を装着する方法である。具体的に、まつ毛１０の長さ方向について、先に接着した人工毛１１とは基端の位置が異なるように後に接着する人工毛１２を配置して、後に接着する人工毛１２を、まつ毛１０に接着すると共に先に接着した人工毛１１に接着する。
【００２７】
後に接着する人工毛１２は、その基端の位置が、先に接着した人工毛１１と比較してまつ毛１０の先端寄りである。そして、後に接着する人工毛１２は、その長さが、先に接着した人工毛１１と比較して（例えば２ｍｍ〜３ｍｍ程度）短いことが好ましい。また、後に接着する人工毛１２は、その最も太い部分の太さが、先に接着した人工毛１１と比較して細いことが好ましい。さらに、後に接着する人工毛１２は、そのカール（湾曲）の曲率が、先に接着した人工毛１１と比較して小さいことが好ましい。すなわち、後に接着する人工毛１２は、そのカールの強さが、先に接着した人工毛１１と比較して弱いことが好ましい。
【００２８】
なお、人工毛１１，１２は、その最も太い部分の太さが０．１ｍｍ以下であることが好ましく、仕上がりのデザインやまつ毛１０の状態等に応じて、例えば０．０６ｍｍ、０．１０ｍｍ、０．１２ｍｍ等のものが選択される。また、人工毛１１，１２には、カールの種類として、曲率が小さくまつ毛１０の曲率に近い緩やかなカールのＪカール、曲率がＪカールより大きくアイラッシュカーラーでしっかりとクセを付けたまつ毛１０のようなカールのＣカール、曲率がＣカールよりも更に大きいＤカール等がある。
【００２９】
接着剤として、１本目に接着する人工毛１１に対して第１の接着剤（図示省略）を使用すると共に、２本目（又はそれ以降）に接着する人工毛１２に対して、第１の接着剤（図示省略）と比較して接着力が小さい第２の接着剤（図示省略）を使用する。第１の接着剤は、エチルシアノアクリレートを主成分とすることが好ましく、第２の接着剤は、ブチルシアノアクリレートを主成分とすることが好ましい。
【００３０】
より具体的に、まつ毛１０の根元付近の部分に対し、基端付近に第１の接着剤（図示省略）を塗布した１本目の人工毛１１を接着する（図１（Ａ）→図１（Ｂ）参照）。続いて、まつ毛１０の根元よりも先端寄りの部分に対し、基端付近に第２の接着剤（図示省略）を塗布した２本目の人工毛１２を接着する（図１（Ｂ）→図１（Ｃ）参照）。この際、２本目の人工毛１２は、先にまつ毛１０に接着した人工毛１１にも接着するようにする。これにより、図２に示すように、１本のまつ毛１０に２本の人工毛１１，１２が装着される。
【００３１】
図３に示すように、複数のまつ毛１０の各々に２本の人工毛１１，１２を装着する場合、隣同士のまつ毛１０に装着された人工毛１１又は１２同士を重なり合わせることで、まつ毛１０同士の隙間を補う。
【００３２】
図４に示すように、目の上の複数のまつ毛（上まつ毛）１０を側方から視た場合、複数のまつ毛１０は、上下方向に複数の層をなすように生えている。複数のまつ毛１０の各々に２本の人工毛１１，１２を装着する場合、複数の層のうち中間の２つの層をなすまつ毛１０の各々に２本の人工毛１１，１２を装着する。
【００３３】
中間の２つの層をなすまつ毛１０の各々に装着する１本目の人工毛１１は、互いにそのカールの曲率が異なることが好ましい。中間の２つの層のうち目に近い層である下層をなすまつ毛１０に装着する１本目の人工毛１１は、そのカールの曲率が、中間の２つの層のうち目から遠い層である上層をなすまつ毛１０に装着する１本目の人工毛１１と比較して大きいことがより好ましい。
【００３４】
すなわち、中間の２つの層をなすまつ毛１０の各々に装着する１本目の人工毛１１は、互いにそのカールの強さが異なることが好ましい。中間の２つの層のうち目に近い層である下層をなすまつ毛１０に装着する１本目の人工毛１１は、そのカールの強さが、中間の２つの層のうち目から遠い層である上層をなすまつ毛１０に装着する１本目の人工毛１１と比較して強いことがより好ましい。
【００３５】
中間の２つの層をなすまつ毛１０の各々に装着する２本目の人工毛１２は、互いにそのカールの曲率が異なることが好ましい。中間の２つの層のうち目に近い層である下層をなすまつ毛１０に装着する２本目の人工毛１２は、そのカールの曲率が、中間の２つの層のうち目から遠い層である上層をなすまつ毛１０に装着する２本目の人工毛１２と比較して大きいことがより好ましい。
【００３６】
すなわち、中間の２つの層をなすまつ毛１０の各々に装着する２本目の人工毛１２は、互いにカールの強さが異なることが好ましい。中間の２つの層のうち目に近い層である下層をなすまつ毛１０に装着する２本目の人工毛１２は、そのカールの強さが、中間の２つの層のうち目から遠い層である上層を成すまつ毛１０に装着する２本目の人工毛１２と比較して強いことがより好ましい。
【００３７】
また、上述のように、後に接着する人工毛１２は、そのカールの曲率が、先に接着した人工毛１１と比較して小さいことが好ましい。すなわち、後に接着する人工毛１２は、そのカールの強さが、先に接着した人工毛１１と比較して弱いことが好ましい。
【００３８】
例えば、中間の２つの層のうち目に近い層である下層をなすまつ毛１０に装着する１本目の人工毛１１には、曲率が大きいＤカールで長さが１３ｍｍのものを選択する。中間の２つの層のうち目に近い層である下層をなすまつ毛１０に装着する２本目の人工毛１２には、曲率が比較的大きいＣカールで長さが１１ｍｍのものを選択する。中間層の２つの層のうち目から遠い層である上層をなすまつ毛１０に装着する１本目の人工毛１１には、曲率が比較的大きいＣカールで長さが１１ｍｍのものを選択する。中間層の２つの層のうち目から遠い層である上層をなすまつ毛１０に装着する２本目の人工毛１２には、曲率が小さいＪカールで長さが９ｍｍのものを選択する。
【００３９】
このように、まつ毛エクステンションの施術方法によれば、人工毛１１，１２がまつ毛１０に接着するだけでなく人工毛１１，１２同士が互いに接着することになる。接着剤による接着力は、人工毛１１，１２をまつ毛１０に接着させた場合と比較して、人工毛１１，１２同士を互いに接着させた場合の方が遥かに強いため、１本の人工毛１１又は１２がまつ毛１０から外れてしまった場合であってもその１本の人工毛１１又は１２は残りの人工毛１２又は１１に接着しており、残りの人工毛１２又は１１がまつ毛１０から外れるまでは、人工毛１１又は１２がまつ毛１０から完全に取れてしまうことはなく、長持ちする。
【００４０】
そして、まつ毛エクステンションの施術方法によれば、人工毛１１，１２同士がまつ毛１０への接着力を補完し合って人工毛１１，１２のまつ毛１０への接着力を強めることができる。このため、クセがあったり斜めに生えていたり短かったりする問題のあるまつ毛１０に人工毛１１，１２を装着する場合であっても、問題のないまつ毛１０と同じように人工毛１１，１２を装着することができる。ひいては、不揃いに生えているまつ毛１０同士の隙間を整えたり、全体としての仕上がりのデザインを整えたりすることができる。すなわち、全体としてデザインやバランスが整った状態に仕上げることができる。
【００４１】
また、まつ毛エクステンションの施術方法によれば、上述のように接着力が強まるので、接着剤の使用量を減らすことができる。ひいては、接着剤から放出されるホルムアルデヒド等の揮発性有害物質の量を軽減することができ、まつ毛１０やその毛根等の人体への負担や影響を小さくすることができる。
【００４２】
また、まつ毛エクステンションの施術方法によれば、まつ毛１０の根元から先端に向けて順々に人工毛１１，１２を接着することになるので、施術者は奥から手前に向けて順々に人工毛１１，１２を接着すればよい。このため、先に接着した人工毛１１が、他の人工毛１２を接着することの妨げにはならず、比較的容易に施術を実施することができる。
【００４３】
また、まつ毛エクステンションの施術方法によれば、まつ毛１０の根元から先に接着した人工毛１１の先端までの距離を、まつ毛１０の根元から後に接着した人工毛１２の先端までの距離と比較して、同等又は大きくすることができる。この場合、まつ毛１０の根元に最も近い部分に接着した人工毛１１を基準としたデザインに仕上がるので、まつ毛１０の根元から先に装着した人工毛１１の先端までの距離が、まつ毛１０の根元から後に接着した人工毛１２の先端までの距離よりも小さい場合と比較して、デザインやバランスが整った状態になる。
【００４４】
また、まつ毛エクステンションの施術方法によれば、まつ毛１０の根元に最も近い部分に接着した人工毛１１を基準としたデザインに仕上がるので、先に接着した人工毛１１の最も太い部分の太さが、後に接着した人工毛１２の最も太い部分の太さよりも細い場合と比較して、デザインやバランスが整った状態になる。
【００４５】
また、まつ毛エクステンションの施術方法によれば、まつ毛１０の根元に最も近い部分に接着した人工毛１１を基準としたデザインに仕上がるので、先に接着した人工毛１１のカールの曲率が、後に接着した人工毛１２のカールの曲率よりも小さい場合と比較して、デザインやバランスが整った状態になる。
【００４６】
接着剤による接着力と、接着剤から放出される揮発性有害物質の量とは、相関関係にある。接着力が強ければ揮発性有害物質の量は多く、接着力が弱ければ揮発性有害物質の量は少ない。まつ毛エクステンションの施術方法によれば、接着力が互いに異なる第１の接着剤と第２の接着剤とを使用するので、接着剤による接着力を保ちつつ接着剤から放出される揮発性有害物質の量を軽減することができる。
【００４７】
また、まつ毛エクステンションの施術方法によれば、接着力が比較的強いエチルシアノアクリレートを主成分とする第１の接着剤を使用しつつ、あわせて、放出される揮発性有害物質の量が比較的少ないブチルシアノアクリレートを主成分とする第２の接着剤を使用するので、接着剤の全てに第１の接着剤を使用する場合と比較して放出される揮発性有害物質の量を軽減することができ、また、接着剤の全てに第２の接着剤を使用する場合と比較して接着力を強くすることができる。
【００４８】
要するに、まつ毛エクステンションの施術方法によれば、より高い完成度になることを実現することができる。
【００４９】
［第２実施形態］次に、図５を用いて、本発明の第２実施形態に係るまつ毛エクステンションの施術方法について説明する。図５は、本発明の第２実施形態に係るまつ毛エクステンションの施術方法を説明する模式図である。図５（Ａ）は、人工毛１１，１２を接着する前のまつ毛１０を示す。図５（Ｂ）は、１本目の人工毛１１を接着した後のまつ毛１０を示す。図５（Ｃ）は、２本目の人工毛１２を接着した後のまつ毛１０を示す。本実施形態に係るまつ毛エクステンションの施術方法は、クセがあったり斜めに生えていたりする問題のあるまつ毛１０に人工毛１１，１２を装着することで方向修正を行う方法である。
【００５０】
図５（Ａ）に示すように、まつ毛１０は、必ずしもバランスの良い密度や放射状に開いた向きで生えておらず、クセがあったり斜めに生えていたりする問題のあるまつ毛１０がある。図５（Ａ）に示す４本のまつ毛１０のうち、右から２本目のまつ毛１０が斜めに生えている問題のあるまつ毛１０である。このような問題のあるまつ毛に人工毛を装着する場合、接着剤で接着する範囲が狭くなるので、一般的には人工毛が取れやすく長持ちしない。本実施形態に係るまつ毛エクステンションの施術方法は、このような問題点を解決する方法である。
【００５１】
まず、図５（Ｂ）に示すように、斜めに生えているまつ毛１０の根元付近の部分に対し、基端付近に第１の接着剤（図示省略）を塗布した１本目の短めの人工毛１１を接着する。この際、１本目の人工毛１１は、他のまつ毛１０と同じ方向を向くようにする。
【００５２】
続いて、図５（Ｃ）に示すように、斜めに生えているまつ毛１０の根元よりも先端寄りの部分に対し、基端付近に第２の接着剤（図示省略）を塗布した２本目の長めの人工毛１２を接着する。この際、２本目の人工毛１２は、先にまつ毛１０に接着した人工毛１１にも接着するように、かつ、先にまつ毛１０に接着した人工毛１１と同じく他のまつ毛１０と同じ方向を向くようにする。
【００５３】
これにより、斜めに生えているまつ毛１０に、他のまつ毛１０と同じ方向を向く２本の人工毛１１，１２が装着される。なお、問題のあるまつ毛１０の太さや長さなどの状況に応じて、２本の人工毛１１，１２の長さ、太さ、カールの曲率を選択することで、多様な対応が可能になる。
【００５４】
［第３実施形態］次に、図６を用いて、本発明の第３実施形態に係るまつ毛エクステンションの施術方法について説明する。図６は、本発明の第３実施形態に係るまつ毛エクステンションの施術方法を説明する模式図である。図６（Ａ）は、人工毛１１，１２を接着する前のまつ毛１０を示す。図６（Ｂ）は、１本目の人工毛１１を接着した後のまつ毛１０を示す。図６（Ｃ）は、２本目の人工毛１２を接着した後のまつ毛１０を示す。本実施形態に係るまつ毛エクステンションの施術方法は、１本目の人工毛１１をまつ毛１０に接着した後に、２本目の人工毛１２を補強材としてまつ毛１０に接着することで補強を行う方法である。
【００５５】
まず、まつ毛１０の根元付近の部分に対し、基端付近に第１の接着剤（図示省略）を塗布した１本目の人工毛１１を接着する（図６（Ａ）→図６（Ｂ）参照）。続いて、まつ毛１０の根元よりも先端寄りの部分に対し、基端付近に第２の接着剤（図示省略）を塗布した２本目の短めの人工毛１２を接着する（図６（Ｂ）→図６（Ｃ）参照）。この際、２本目の人工毛１２は、先にまつ毛１０に接着した人工毛１１にも接着するようにする。
【００５６】
これにより、接着する範囲が狭い等の理由から、１本目の人工毛１１を接着しただけではまつ毛１０から取れやすい場合であっても、２本目の人工毛１２が補強材として機能することで、まつ毛１０から人工毛１１が取れにくくなる。２本目の人工毛１２の基端付近を、まつ毛１０と１本目の人工毛１１との分かれ目に配置することで、さらに、まつ毛１０から人工毛１１が取れにくくなる。
【００５７】
［第４実施形態］次に、図７を用いて、本発明の第４実施形態に係るまつ毛エクステンションの施術方法について説明する。図７は、本発明の第４実施形態に係るまつ毛エクステンションの施術方法を説明する模式図である。図７（Ａ）は、人工毛１１，１２を接着する前のまつ毛１０を示す。図７（Ｂ）は、１本目の人工毛１１を接着した後のまつ毛１０を示す。図７（Ｃ）は、２本目の人工毛１２を接着した後のまつ毛１０を示す。本実施形態に係るまつ毛エクステンションの施術方法は、Ｄカール等のカールの強い人工毛１１を１本目としてまつ毛１０に接着した後に、２本目の人工毛１２を補強材としてまつ毛１０に接着することで補強を行う方法である。
【００５８】
まず、まつ毛１０の根元付近の部分に対し、基端付近に第１の接着剤（図示省略）を塗布した１本目のカールの強い人工毛１１を接着する（図７（Ａ）→図７（Ｂ）参照）。続いて、まつ毛１０の根元よりも先端寄りの部分に対し、基端付近に第２の接着剤（図示省略）を塗布した２本目の短めのカールの弱い人工毛１２を接着する（図７（Ｂ）→図７（Ｃ）参照）。この際、２本目の人工毛１２は、先にまつ毛１０に接着した人工毛１１にも接着するようにする。
【００５９】
これにより、接着する範囲が狭くなるカールの強い人工毛１１をまつ毛１０に接着した場合であっても、２本目の人工毛１２が補強材として機能することで、まつ毛１０から人工毛１１が取れにくくなる。２本目の人工毛１２の基端付近を、まつ毛１０と１本目の人工毛１１との分かれ目に配置することで、さらに、まつ毛１０から人工毛１１が取れにくくなる。
【００６０】
［第５実施形態］次に、図８を用いて、本発明の第５実施形態に係るまつ毛エクステンションの施術方法について説明する。図８は、本発明の第５実施形態に係るまつ毛エクステンションの施術方法を説明する模式図である。図８（Ａ）は、人工毛１１，１２を接着する前のまつ毛１０を示す。図８（Ｂ）は、１本目の人工毛１１を接着した後のまつ毛１０を示す。図８（Ｃ）は、２本目の人工毛１２を接着した後のまつ毛１０を示す。本実施形態に係るまつ毛エクステンションの施術方法は、細いまつ毛１０に細い人工毛１１，１２を装着することで、擬似的に太い人工毛を装着したように見せるための方法である。
【００６１】
図８（Ａ）に示すように、まつ毛１０は、必ずしも十分な太さで生えておらず、細くて弱いまつ毛１０がある。このようなまつ毛１０は、周囲のまつ毛１０との関係でバランスが悪く、また、装着した人工毛の重さが負担になる。本実施形態に係るまつ毛エクステンションの施術方法は、このような問題点を解決する方法である。
【００６２】
まず、図８（Ｂ）に示すように、細くて弱いまつ毛１０の根元付近の部分に対し、基端付近に第１の接着剤（図示省略）を塗布した１本目の細い人工毛１１を接着する。この際、１本目の人工毛１１は、当該細くて弱いまつ毛１０と同じ方向を向くようにする。
【００６３】
続いて、図８（Ｃ）に示すように、細くて弱いまつ毛１０の根元よりも先端寄りの部分に対し、基端付近に第２の接着剤（図示省略）を塗布した２本目の細い人工毛１２を接着する。この際、２本目の人工毛１２は、先にまつ毛１０に接着した人工毛１１にも接着するように、かつ、先にまつ毛１０に接着した人工毛１１と同じく当該まつ毛１０と同じ方向を向くようにする。
【００６４】
これにより、細くて弱いまつ毛１０に、当該まつ毛１０と同じ方向を向く２本の人工毛１１，１２が装着される。ひいては、細くて弱いまつ毛１０に太い人工毛を装着しているように見せることができる。
【００６５】
本発明は、上記実施形態に限られるものではなく、その趣旨及び技術思想を逸脱しない範囲で種々の変形が可能である。すなわち、各構成の位置、大きさ、長さ、数量、形状、材質などは適宜変更できる。
【００６６】
例えば、上記実施形態では、１本のまつ毛１０に２本の人工毛１１，１２を順々に接着する場合を例に説明したが、本発明はこれに限定されるものではない。本発明は、１本のまつ毛１０に２本以上の人工毛１１，１２，…を順々に接着するものであってよい。
【符号の説明】
【００６７】
１０  まつ毛
１１  １本目の人工毛
１２  ２本目の人工毛
【図１】
2020020073.tif 000003
【図２】
2020020073.tif 000004
【図３】
2020020073.tif 000005
【図４】
2020020073.tif 000006
【図５】
2020020073.tif 000007
【図６】
2020020073.tif 000008
【図７】
2020020073.tif 000009
【図８】
2020020073.tif 000010